(57)【要約】【課題】主として頭部の地肌を掴み揉み状にマッサージすることで血行を良好にして頭髪等の育毛を促進させ、また頭髪洗浄時のブラシとしても使用可能にする。【解決手段】頭部Ｈに宛がう当接側面である揉み部２と、この当接側面と反対がわの押圧側面である押圧部６とを表裏に配した盤状のマッサージ具本体１を形成する。揉み部２には、押圧部６からの頭部Ｈ側への押圧作用によってマッサージ具本体１の中心側に向かって傾斜倒伏動する複数の円錐柱状の揉み脚部３Ａ，３Ｂ，３Ｃを３列の同心円状に配列し、この揉み脚部３Ａ，３Ｂ，３Ｃの傾斜倒伏動によって頭皮を掴み揉み状にマッサージするようにして成る。押圧部６には、掌で包み込み可能な空洞のドーム状にして、マッサージ具本体１の周縁部分を押圧する押圧カバー体１０を装着し、揉み部２の中心には流通口５を開口形成する。【選択図】図５
2019141194.tif 000002
【特許請求の範囲】
【請求項１】
頭部に宛がわれる当接側面である揉み部と、この当接側面と反対がわの押圧側面である押圧部とが表裏に配されている盤状のマッサージ具本体を形成し、このマッサージ具本体の揉み部には、押圧部からの頭部側への押圧作用によってマッサージ具本体の中心側に向かって傾斜倒伏動する複数の揉み脚部を配列し、この揉み脚部の傾斜倒伏動によって頭皮を掴み揉み状にマッサージするようにして成ることを特徴とするマッサージ具。
【請求項２】
揉み脚部は、ほぼ円錐柱状に形成されていて、マッサージ具本体の中心側の側面は揉み部面に対してほぼ直立状の平坦面に形成してある請求項１に記載のマッサージ具。
【請求項３】
揉み脚部は、マッサージ具本体の揉み部に同心円状に配列される請求項１または２に記載のマッサージ具。
【請求項４】
中心側に配列された揉み脚部は、外周縁側に配列された揉み脚部に比し高く形成してある請求項１乃至３のいずれかに記載のマッサージ具。
【請求項５】
揉み脚部は、外周縁側に配列された揉み脚部から中心側に配列された揉み脚部に至るに伴い外径を順次に小さく形成してある請求項１乃至４のいずれかに記載のマッサージ具。
【請求項６】
揉み脚部の基部におけるマッサージ具本体の中心側に位置させて中心側の側面に連続する収縮凹所を揉み部面に形成してある請求項１乃至５のいずれかに記載のマッサージ具。
【請求項７】
収縮凹所は同心円状に配列されて隣接する揉み脚部それぞれのマッサージ具本体の中心側で連続した溝状に形成してある請求項６に記載のマッサージ具。
【請求項８】
揉み部の中心には、流通口を開口形成してある請求項１乃至７のいずれかに記載のマッサージ具。
【請求項９】
マッサージ具本体の押圧部には、マッサージ具本体の周縁部分を押圧する押圧カバー体を装着してあり、この押圧カバー体は、マッサージ具本体の周縁部分に形成してある装着溝に嵌め入れられる装着突部を設けて成る請求項１乃至８のいずれかに記載のマッサージ具。
【請求項１０】
押圧カバー体は、掌で包み込み可能な空洞のドーム状に形成してある請求項９記載のマッサージ具。
【発明の詳細な説明】
【技術分野】
【０００１】
本発明は、主として頭部の地肌を掴み揉み状にマッサージすることで血行を良好にして頭髪等の育毛を促進させ、また頭髪洗浄時のブラシとしても使用可能なマッサージ具に関する。
【背景技術】
【０００２】
従来から、頭髪が美麗であることは若さをアピールできることから、頭髪の減少、薄毛等は本人が特に気にするところである。このような頭髪減少、薄毛等を防止すべく、従来から様々な育毛剤やマッサージ具が提案されている。特に頭皮をマッサージするものとして、例えば特許文献１に係るマッサージ用ブラシ、特許文献２に係るヘアブラシ、特許文献３に係るマッサージブラシ等がある。
【０００３】
特許文献１のマッサージ用ブラシは、手指等で支持できるように支持部を備えた円盤状のブラシ本体の底面に配列されている多数の柱状突部下端面それぞれから束状の細径ブリースフルを臨ませて成る。特許文献２のヘアブラシは、可とう性を有する把持部にブラシ台座を設けて空洞状に形成しておき、把持部に対する把持力でブラシ台座を連動させることでブラシ台座の複数のブラシを移動可能にして人体頭部を押圧接触するようにして成る。特許文献３のマッサージブラシは、ほぼ円盤状を呈する基部から張り出した張出し梁部に押圧突起を設け、基部側からの押圧力で頭皮等に対して外側に広がる押圧突起の拡がりを制限するようにして成る。
【先行技術文献】
【特許文献】
【０００４】
【特許文献１】特開２０００−６０６４０号公報
【特許文献２】特開２０１６−１２３７２３号公報
【特許文献３】特開２０１７−１０８８９５号公報
【発明の概要】
【発明が解決しようとする課題】
【０００５】
これらの特許文献に示された頭部をマッサージするためのブラシは、特許文献１のマッサージ用ブラシでは頭皮を多数のスポット点状に分散して押圧するに過ぎず、頭皮における血流等を良好にするものではない。特許文献２のヘアブラシでは、複数のブラシを頭部面上で移動させるとしても、ブラシを頭部に宛がった状態で空洞状の把持部を把持するには頭部面と平行する向きの押圧作用とするから、ブラシは単に頭部面をなぞるに過ぎず、また頭髪に絡まってしまうことでブラシの移動が困難となることがある。特許文献３のマッージブラシでは、頭部に宛がった状態で基部側からの頭部面に対する押圧作用によって押圧突起が外側に広がることで、頭皮を外方に伸ばすとしても頭皮自体は伸張性がないから、結果として頭皮面上をなぞるに過ぎない。
【０００６】
そこで本発明は叙上のような従来存した諸事情に鑑み創出されたもので、その目的は例えば頭部に宛がった状態で頭部面を押圧するように押し当てることで、宛てがい部分の頭皮を内側に絞るように掴み揉みして血行を促進させるようにし、またこの掴み揉みは本マッサージ具を頭部面に押し当てる押圧力によるから簡単に操作でき、頭髪の育毛促進に役立つばかりでなく、頭髪洗浄時のブラシとしても利用できるようにしたマッサージ具を提供することにある。
【課題を解決するための手段】
【０００７】
上述した課題を解決するため、本発明にあっては、頭部Ｈに宛がわれる当接側面である揉み部２と、この当接側面と反対がわの押圧側面である押圧部６とが表裏に配されている盤状のマッサージ具本体１を形成し、このマッサージ具本体１の揉み部２には、押圧部６からの頭部Ｈ側への押圧作用によってマッサージ具本体１の中心側に向かって傾斜倒伏動する複数の揉み脚部３Ａ，３Ｂ，３Ｃを配列し、この揉み脚部３Ａ，３Ｂ，３Ｃの傾斜倒伏動によって頭皮を掴み揉み状にマッサージするようにして成ることを特徴とする。
揉み脚部３Ａ，３Ｂ，３Ｃは、ほぼ円錐柱状に形成されていて、マッサージ具本体１の中心側の側面は揉み部２面に対してほぼ直立状の平坦面に形成して構成することができる。
揉み脚部３Ａ，３Ｂ，３Ｃは、マッサージ具本体１の揉み部２に同心円状に配列されることで、また、中心側に配列された揉み脚部３Ａは、外周縁側に配列された揉み脚部３Ｂ，３Ｃに比し高く形成すると共に、外周縁側に配列された揉み脚部３Ｃから中心側に配列された揉み脚部３Ｂ，３Ａに至るに伴い外径を順次に小さくすることで形成して構成することができる。
揉み脚部３Ａ，３Ｂ，３Ｃの基部におけるマッサージ具本体１の中心側に位置させて中心側の側面に連続する収縮凹所４を揉み部２面に形成して、また、この収縮凹所４は同心円状に配列されて隣接する揉み脚部３Ａ，３Ｂ，３Ｃそれぞれのマッサージ具本体１の中心側で連続した溝状に形成して構成することができる。
揉み部２の中心には、流通口５を開口形成して構成することができる。
マッサージ具本体１の押圧部６には、マッサージ具本体１の周縁部分を押圧する押圧カバー体１０を装着して構成でき、この押圧カバー体１０は、マッサージ具本体１の周縁部分に形成してある装着溝７に嵌め入れられる装着突部１１を設けて構成することができる。
押圧カバー体１０は、掌で包み込み可能な空洞のドーム状に形成して構成することができる。
【０００８】
以上のように構成された本発明に係るマッサージ具にあって、マッサージ具本体１の揉み部２を頭部Ｈに宛がった状態で押圧部６からの頭部Ｈ側に対する押圧作用で、揉み部２の揉み脚部３Ａ，３Ｂ，３Ｃはマッサージ具本体１の中心側に向かって傾斜倒伏し、この傾斜倒伏によって頭皮への宛てがい部分を窄ませ、掴み揉み状にマッサージする。
配列された揉み脚部３Ａ，３Ｂ，３Ｃにおいて、マッサージ具本体１の中心側に配列されたものでは高く、それぞれの中心側側面では直立した平坦面であること、また配列された中心側では外周縁側に比し外径が小さいことで、中心側では軟らかく撓み、外周縁側からのマッサージ具本体１の中心側への傾斜倒伏動を助長する。
また、揉み脚部３Ａ，３Ｂ，３Ｃの基部におけるマッサージ具本体１の中心側に形成された収縮凹所４は、揉み脚部３Ａ，３Ｂ，３Ｃそれぞれのマッサージ具本体１の中心側への傾斜倒伏動時に縮小することでその倒伏動を円滑にし、繰り返される掴み揉み作動を一層スムーズに行わせる。
マッサージ具本体１に装着された押圧カバー体１０は、マッサージ具本体１の周縁部分でマッサージ具本体１を押圧することで、揉み部２における揉み脚部３Ａ，３Ｂ，３Ｃそれぞれのマッサージ具本体１の中心側に向かう傾斜倒伏作動力を効率的に付与し、マッサージ具本体１自体の窄まり動作を簡単に実現させる。
マッサージ具本体１の中心に配した流通口５は、押圧カバー体１０が装着されたマッサージ具本体１の表裏方向に沿うエアあるいは洗浄水を流通させることで、頭部Ｈに対するマッサージで撓み状に窄まったときの押圧カバー体１０内に生じる負圧状態を回避させてマッサージ具本体１の撓み前への原形復帰を容易にする。また、頭髪洗浄時の洗浄水の押圧カバー体１０内での貯留を防止し、衛生的に処置し得る。
【発明の効果】
【０００９】
本発明は以上説明したように構成されているため、頭部Ｈに宛てがい、押圧カバー体１０側からの頭部Ｈ側に向かうマッサージ具本体１に対する押圧作用とその解放とによって、宛がわれた頭皮部分を掴み揉み状にマッサージでき、掴み揉み状であることでエステシャン的なマッサージ作用を実現でき、これらによって育毛促進その他を図ることができる。また頭部Ｈに限らず、身体面の各部に宛てがい、押圧することで各部の皮膚下の血行を促進させることができ、経穴・ツボ等に対する揉み動作にも利用できる。
【００１０】
また、揉み部２に同心円状に配列した揉み脚部３Ａ，３Ｂ，３Ｃそれぞれは円錐柱状で、中心側の揉み脚部３Ａは外周縁側の揉み脚部３Ｂ，３Ｃに比し高く形成してあることで、頭部Ｈに宛がわれた状態でマッサージ具本体１に対する押圧作用は、マッサージ具本体１の外周縁側を中心側に向かって窄ませることになって、外周縁側の揉み脚部３Ｂ，３Ｃの中心側に対する倒伏傾斜動を促すことができる。
【００１１】
しかも、外周縁側の揉み脚部３Ｃから中心側の揉み脚部３Ｂ，３Ａに至るに伴いそれらの外径を順次に小さく形成してあり、また中心側の揉み脚部３Ａは外周縁側の揉み脚部３Ｂ，３Ｃに比し高く形成してあることで、中心側は外周縁側に比し軟らかく、撓みやすくなっているから、外周縁側の揉み脚部３Ｃは中心側の揉み脚部３Ｂ，３Ａに比し大きく、やや硬い状態で強く傾斜倒伏し、これによって安定した確実な頭皮の掴み揉み動作を実現している。
【００１２】
更に、揉み脚部３Ａ，３Ｂ，３Ｃの基部におけるマッサージ具本体１の中心側に位置させて中心側の側面に連続する収縮凹所４を揉み部２面に形成してあることで、マッサージ具本体１に対する押圧作用が付与されるとき、揉み脚部３Ａ，３Ｂ，３Ｃそれぞれのマッサージ具本体１の中心側への傾斜倒伏に伴い収縮凹所４が縮小し、隣接する揉み脚部３Ａ，３Ｂ，３Ｃが連続する収縮凹所４によって溝状であることと相俟ち、揉み脚部３Ａ，３Ｂ，３Ｃそれぞれの倒伏動を一層円滑、確実にすることができる。
【００１３】
揉み部２の中心に流通口５を開口形成してあることで、揉み脚部３Ａ，３Ｂ，３Ｃそれぞれの中心側への傾斜倒伏動を円滑にするばかりでなく、マッサージ具本体１に装着されている押圧カバー体１０が例えば空洞状であってマッサージ具本体１が撓み、窄まり状となることで押圧カバー体１０内が負圧状態となるのを防止し、繰り返しのマッサージ具本体１の窄まり・原形復帰、すなわち揉み脚部３Ａ，３Ｂ，３Ｃの起伏動を阻害することがない。
【００１４】
しかも、この流通口５によって、本発明マッサージ具を頭髪洗浄時のブラシとして使用するときの洗浄液等をマッサージ具本体１の表裏方向で流通させ、押圧カバー体１０内に洗浄液を貯留させないから、衛生的に使用できる。
【００１５】
マッサージ具本体１に装着される押圧カバー体１０は、マッサージ具本体１の周縁部分に形成してある装着溝７に嵌め入れられる装着突部１１を設けてあることで、マッサージ具本体１に押圧カバー体１０を一体的に組み合わせることができる。そのため、押圧カバー体１０に対する押圧力の付与は、マッサージ具本体１の周縁部分を押圧することになるから、頭部Ｈに宛がわれたマッサージ具本体１自体は周縁部分がマッサージ具本体１の中心側に窄まり状となり、揉み脚部３Ａ，３Ｂ，３Ｃそれぞれを中心側に向かって効率良く、確実に傾斜倒伏させることができる。
【００１６】
尚、上記の課題を解決するための手段、発明の効果の項それぞれにおいて付記した符号は、図面中に記載した構成各部を示す部分との参照を容易にするために付した。本発明は、これらの記載、図面中の符号等によって示された構造・形状等に限定されない。
【図面の簡単な説明】
【００１７】
【図１】本発明を実施するための一形態を示す一部切欠の分解斜視図である。
【図２】同じく揉み部側から見た斜視図である。
【図３】同じく揉み部の平面図である。
【図４】同じく一部の拡大図を含む断面図である。
【図５】同じく頭部面に対する押圧使用時の一部の拡大図を含む断面図である。
【図６】同じく使用状態の一例における斜視図である。
【発明を実施するための形態】
【００１８】
以下、図面を参照して本発明を実施するための一形態を説明すると、図において示される符号１は所定肉厚の軟弾性合成樹脂材、例えばエストラマ樹脂材にて、揉み部２、押圧部６を表裏に配した盤状に形成されたマッサージ具本体である。このマッサージ具本体１は、頭部Ｈに対して宛がわれるようにした当接側面である揉み部２に設けた突起柱状の複数の揉み脚部３Ａ，３Ｂ，３Ｃが、当接面側と反対がわのマッサージ具本体１の押圧面側である押圧部６による押圧作用によってマッサージ具本体１の中心側に向かって傾斜するよう倒伏することで、宛がわれた頭部Ｈにおける頭皮が窄まるように掴み揉みするようになっている。このマッサージ具本体１における掴み揉み作動は、マッサージ具本体１の周縁に負荷される押圧作用で発揮されるようにしてあり、そのため、マッサージ具本体１の押圧面側である押圧部６には、マッサージ具本体１を覆うように空洞状の押圧カバー体１０がマッサージ具本体１の周縁部分に装着されている。
【００１９】
マッサージ具本体１は、例えば押圧カバー体１０をマッサージ者自身の掌（てのひら）によって包み込んで掌握できる程度の大きさで形成されており（図５参照）、図に示すように、平面から見て、基本的には長円形で、一方縁部が他方縁部に比し広幅となっている丸みを帯びた略水滴形状を呈していて、適宜な肉厚、例えば５ｍｍ程度の肉厚を有する軟弾性合成樹脂材にて形成されている。
【００２０】
マッサージ具本体１の揉み部２に設けた揉み脚部３Ａ，３Ｂ，３Ｃは、例えばいわば同心円状に例えば３列の複数列で配列されている（図３参照）。
【００２１】
揉み脚部３Ａ，３Ｂ，３Ｃそれぞれは、基本的には頂端が丸みを帯びている円錐形状で、中心側の揉み脚部３Ａは外周縁側の揉み脚部３Ｂ，３Ｃに比しやや高く形成されている（図４参照）。揉み脚部３Ａ，３Ｂ，３Ｃ自体は、マッサージ具本体１の外周縁側の側面は彎曲しているのに対し、マッサージ具本体１の中心側に向かって傾斜する側面はマッサージ具本体１の揉み部２に対しほぼ直立した平坦面状に形成されていて、その横断面形状は略半月状を呈する。こうすることで、揉み脚部３Ａ，３Ｂ，３Ｃ自体は、マッサージ具本体１の中心側に向かう傾斜倒伏傾向にいわば付勢されている。
【００２２】
また、中心側に配列された揉み脚部３Ａは外周縁側に配列された揉み脚部３Ｂ，３Ｃに比し、外径は順次に小径に形成してあることで、配列されたマッサージ具本体１の中心側では外周縁側に比し柔軟性があり、一層撓みやすくしてある。また、揉み脚部３Ａ，３Ｂ，３Ｃの基部外径は、例えば最外周に配列した揉み脚部３Ｃは約１０ｍｍ、中心側に配列した揉み脚部３Ａは約８ｍｍ、中間に配列した揉み脚部３Ｂは約９ｍｍ程度としてある。こうすることでも、揉み脚部３Ａ，３Ｂ，３Ｃ自体は、マッサージ具本体１の中心側に向かう傾斜倒伏傾向にいわば付勢される。
【００２３】
すなわち、マッサージ具本体１の中心側の揉み脚部３Ａは外周縁側の揉み脚部３Ｂ，３Ｃに比し小径で、高く形成されていることで、頭部Ｈに宛がわれ、押圧されたときには柔軟性があって撓みやすく、外周縁側が窄まって外周縁側の揉み脚部３Ｃが中心側の揉み脚部３Ｂ，３Ａに向かって強い力で傾斜倒伏して、頭皮を窄めて掴み揉みするようにしてある。
【００２４】
そしてまた、揉み脚部３Ａ，３Ｂ，３Ｃそれぞれの中心側の側面の基部には、その基部位置に合致させたマッサージ具本体１の揉み部２に断面で角Ｕ字形の収縮凹所４を形成してあり、揉み脚部３Ａ，３Ｂ，３Ｃそれぞれの中心側への傾斜倒伏動を一層促進するようにしている。図示にあって、この収縮凹所４は同心円状に配列されているそれぞれの揉み脚部３Ａ，３Ｂ，３Ｃの中心側の側面位置で連続している溝状となって同心円状に配列形成してあることで、隣接する揉み脚部３Ａ，３Ｂ，３Ｃそれぞれが相互に関連し、またマッサージ具本体１全体での中心側に向かう撓みが生じ、全体が窄まり状になって中心側への傾斜倒伏動を確実にしている。
【００２５】
マッサージ具本体１の中心には、流通口５が開口形成されている。前記押圧カバー体１０のマッサージ具本体１への装着によってマッサージ具本体１の押圧面側が覆われるとき、マッサージ具本体１を経た押圧カバー体１０内外を流通口５によって流通させ、使用時に頭部Ｈがわに押圧されることで頭部Ｈがわから離れるようにマッサージ具本体１が彎曲して撓むことに伴い、空洞状の押圧カバー体１０内部が負圧状態になるのを防止する。また、頭髪洗浄時の洗浄液が押圧カバー体１０中に貯留されるのも防止し、頭髪洗浄作業を円滑にする。
【００２６】
押圧カバー体１０は、マッサージ具本体１の押圧部６の周縁部分に装着されることでマッサージ具本体１を覆っており、図示のように空洞のドーム状に形成されていて、外側面は掌（てのひら）で包み覆うことができるような彎曲面に形成されていて、マッサージ具本体１に対応させて例えば長辺幅員は約１００ｍｍ前後、短辺幅員は約７０ｍｍ前後、高さは２０ｍｍ前後の大きさとなるようにしてある（図３参照）。この押圧カバー体１０は、マッサージ具本体１の押圧部６の周縁に形成されている装着溝７内にやや強制的にでも嵌め入れられる装着突部１１を開口部周縁の内側に形成してあり、装着溝７内に嵌め入れられたとき、装着溝７の外縁に押圧カバー体１０の外周縁が当接することでマッサージ具本体１の押圧面を覆い、またマッサージ具本体１と一体状になるようにしている。もとより、マッサージ具本体１と共に押圧カバー体１０自体の大きさは上記例に限定されないことは勿論である。
【００２７】
押圧カバー体１０の周縁がマッサージ具本体１の周縁部分に装着結合していることで、押圧カバー体１０に対する押圧作用は、マッサージ具本体１における押圧部６の周縁部分のみを押圧し、頭部Ｈに宛がわられるマッサージ具本体１の当接面側を中心側に向かってスムーズに撓ませることができる。もとより、押圧カバー体１０によってマッサージ具本体１の周縁部分を押圧できれば良いので、押圧カバー体１０自体は、閉塞されたドーム状に形成されている必要はなく、例えばマッサージ具本体１の周縁部分に装着されるループ状部材を放射状部材によって連結することで形成することも可能である。
【００２８】
また、図示のように、この押圧カバー体１０には、マッサージ具全体を握持し、支持することで揉み作業、洗浄作業を容易に可能にするように、例えば手指相互間で挟み込むことができる断面で略Ｔ字形状の支持部１２を設けてある。図示を省略したが、この挟み込み式の支持部１２に代えて、例えば手指を挿入できるカバー状の覆い部を設けることも可能であり、本発明マッサージ具を容易に取り扱いできるようにするにはこれらに限定されないことも勿論である。
【００２９】
次にこれの使用の一例を説明すると、頭皮をマッサージするとき、あるいは頭髪を洗浄するとき等で、押圧カバー体１０を掌で包み込むようにして掌握し、マッサージ具本体１の揉み部２を頭皮に宛てがい、押圧カバー体１０によってマッサージ具本体１を頭部Ｈ側に適宜押圧すれば良い。そうすると、図５に示すように、押圧カバー体１０からの押圧作用はマッサージ具本体１の周縁部分を押圧し、揉み部２における中心側の揉み脚部３Ａが外周側の揉み脚部３Ｂ，３Ｃ側に比し高く、小径であることで、マッサージ具本体１自体は中心側にいくらか窄まるように撓み、外周縁側の揉み脚部３Ｂ，３Ｃがマッサージ具本体１の中心側に向かって傾斜倒伏し、頭皮を周囲から掴み状に寄せ合わせ、揉みほぐすものとなる。
【００３０】
このような押圧操作を頭部Ｈ全体で繰り返すことによって、頭部Ｈの血行を良好にし、例えば育毛その他を促進させるのであり、このような作動は、例えば頭髪に対して従来から実施されている頭髪洗浄時の頭皮に対する揉み動作を伴うエステシャンと同様な効果をもたらす。
【符号の説明】
【００３１】
Ｈ…頭部
１…マッサージ具本体
２…揉み部
３Ａ，３Ｂ，３Ｃ…揉み脚部
４…収縮凹所
５…流通口
６…押圧部
７…装着溝
１０…押圧カバー体
１１…装着突部
１２…支持部
【図１】
2019141194.tif 000003
【図２】
2019141194.tif 000004
【図３】
2019141194.tif 000005
【図４】
2019141194.tif 000006
【図５】
2019141194.tif 000007
【図６】
2019141194.tif 000008
【手続補正書】
【提出日】平成30年5月7日(2018.5.7)
【手続補正１】
【補正対象書類名】特許請求の範囲
【補正対象項目名】全文
【補正方法】変更
【補正の内容】
【特許請求の範囲】
【請求項１】
頭部に宛がわれる当接側面である揉み部と、この当接側面と反対がわの押圧側面である押圧部とが表裏に配されている盤状のマッサージ具本体を形成し、このマッサージ具本体の揉み部には、押圧部からの頭部側への押圧作用によってマッサージ具本体の中心側に向かって傾斜倒伏動する複数の揉み脚部を配列し、この揉み脚部の傾斜倒伏動によって頭皮を掴み揉み状にマッサージするようにして成り、揉み脚部の基部におけるマッサージ具本体の中心側に位置させて中心側の側面に連続する収縮凹所を揉み部面に形成してあることを特徴とするマッサージ具。
【請求項２】
収縮凹所は同心円状に配列されて隣接する揉み脚部それぞれのマッサージ具本体の中心側で連続した溝状に形成してある請求項１に記載のマッサージ具。
【請求項３】
揉み脚部は、ほぼ円錐柱状に形成されていて、マッサージ具本体の中心側の側面は揉み部面に対してほぼ直立状の平坦面に形成してある請求項１または２に記載のマッサージ具。
【請求項４】
揉み脚部は、マッサージ具本体の揉み部に同心円状に配列される請求項１乃至３のいずれかに記載のマッサージ具。
【請求項５】
中心側に配列された揉み脚部は、外周縁側に配列された揉み脚部に比し高く形成してある請求項１乃至４のいずれかに記載のマッサージ具。
【請求項６】
揉み脚部は、外周縁側に配列された揉み脚部から中心側に配列された揉み脚部に至るに伴い外径を順次に小さく形成してある請求項１乃至５のいずれかに記載のマッサージ具。
【請求項７】
揉み部の中心には、流通口を開口形成してある請求項１乃至６のいずれかに記載のマッサージ具。
【請求項８】
マッサージ具本体の押圧部には、マッサージ具本体の周縁部分を押圧する押圧カバー体を装着してあり、この押圧カバー体は、マッサージ具本体の周縁部分に形成してある装着溝に嵌め入れられる装着突部を設けて成る請求項１乃至７のいずれかに記載のマッサージ具。
【請求項９】
押圧カバー体は、掌で包み込み可能な空洞のドーム状に形成してある請求項８記載のマッサージ具。